(57)【要約】      （修正有）【課題】被収納物を上下二段に展示できるとともに、外装部を上方に引き上げることなく内箱部から分離でき、さらには、包装箱を載置するだけでなく、吊り下げても展示することができる包装箱を提供する。【解決手段】包装箱は、内箱部Ａ１と外装部を有し、内箱部Ａ１は、下部正面部１２ａと、上部正面部１２ｂと、棚構成部１６等を有する正面部１０と、側面部２０、３０と、差込み片部１６ｃを差込み用の差込み部と紐挿通用の開口部４４ａ等を有する背面部４０とを有し、外装部は、正面部１０と側面部２０、３０の外側の面に沿って設けられた正面部・側面部と、各側面部から連設され背面部４０の外側の面に沿って設けられた背面部とを有し、背面部における切目線に囲まれた分離部が内箱部Ａ１の背面部と接着されている。【選択図】図３
0003179757.tif 000002
【実用新案登録請求の範囲】
【請求項１】
包装箱であって、
略方形状の外形を有する底面部と、底面部の各辺から立設し底面部に対して略直角をなすスリーブ状部で、内側正面部と、相対する一対の内側側面部と、内側背面部とからなるスリーブ状部とを有し、上部が開口した内箱部で、内側正面部が、底面部及び一対の内側側面部から連設された下部正面部と、下部正面部と上下方向に間隔を介して設けられ、一対の内側側面部から連設された上部正面部と、上部正面部の上辺から下部正面部と底面部間の折れ線である第１折れ線と平行な第２折れ線を介して連設された棚構成部で、上部正面部の上辺から第２折れ線を介して連設された後面部と、後面部の上部正面部とは反対側の辺部から第１折れ線と平行な第３折れ線を介して連設された棚部と、棚部の後面部とは反対側の辺部から第１折れ線と平行な第４折れ線を介して連設された差込み片部とを有する棚構成部とを有し、内側正面部が全体に平板状を呈し、内側背面部が、差込み片部を差し込むための差込み部と内箱部を吊り下げるための紐を挿通するための開口部とを有する内箱部と、
内箱部の外側の面に設けられた外装部で、内側正面部の外側の面に沿って設けられた略方形状の外側正面部と、外側正面部の右側面側の辺部から連設され一方の内側側面部の外側の面に沿って設けられた第１外側側面部と、外側正面部の左側面側の辺部から連設され他方の内側側面部の外側の面に沿って設けられた第２外側側面部と、第１外側側面部の外側正面部とは反対側の辺部から連設され内側背面部の外側の面に沿って設けられた第１外側背面部と、第２外側側面部の外側正面部とは反対側の辺部から連設され内側背面部の外側の面に沿って設けられ第１外側背面部とは間隔を介して設けられた第２外側背面部と、外側正面部の上辺から連設された上面部とを有し、第１外側背面部における一部の領域が分離部として分離部以外の領域と切目線を介して分離可能に形成されているとともに、第２外側背面部における一部の領域が分離部として分離部以外の領域と切目線を介して分離可能に形成され、第１外側背面部の分離部と第２外側背面部の分離部とが内側背面部と接着されている外装部と、
を有し、内側背面部の差込み部の少なくとも一部は、差込み片部を差込み部に差し込んだ際に、差込み片部が内側背面部の背面側に突出可能となるように第１外側背面部及び第２外側背面部から露出して形成され、
内箱部と外装部とが、それぞれ１枚のシート状のブランクにより形成されていて、
後面部を上部正面部に対して背面側に折り返し、棚部を後面部に対して折曲し、差込み片部を差込み部に差し込むことにより、棚部が略水平に配置され、
上面部を外側正面部に対して折り曲げることにより、外側正面部と第１外側側面部と第２外側側面部と内側背面部により囲まれた開口部をカバーし、
第１外側背面部と第２外側背面部の切目線を破断して、外装部の分離部を除く部分を内箱部に対して正面側に引き出すことにより外装部の分離部を除く部分が内箱部から分離されることを特徴とする包装箱。
【請求項２】
内箱部が、下部正面部と上部正面部間に下部正面部と切目線を介して連設されるとともに上部正面部と切目線を介して連設された表示部と、内側背面部の上辺から連設され内側背面部に設けられた開口部に対応する位置に開口部を有する上方突出部とを有するとともに、内側背面部と上方突出部間に切込みであって表示部を差し込むための差込み部を形成するための切込みを有し、上方突出部を内側背面部に対して折り返すことにより、内側背面部の開口部と上方突出部の開口部が対向して吊下げ用の紐の挿通穴が形成されることを特徴とする請求項１に記載の包装箱。
【請求項３】
第１外側側面部が、互いに平行な二本の折れ線を介して外側正面部から連設され、第２外側側面部が、互いに平行な二本の折れ線を介して外側正面部から連設され、第１外側背面部が、互いに平行な二本の折れ線を介して第１外側側面部から連設され、第２外側背面部が、互いに平行な二本の折れ線を介して第２外側側面部から連設されていることを特徴とする請求項１又は２に記載の包装箱。
【請求項４】
包装箱であって、
略方形状の外形を有する底面部と、底面部の各辺から立設し底面部に対して略直角をなすスリーブ状部で、内側正面部と、相対する一対の内側側面部と、内側背面部とからなるスリーブ状部とを有し、上部が開口した内箱部で、内側正面部が、底面部及び一対の内側側面部から連設された下部正面部と、下部正面部と上下方向に間隔を介して設けられ、一対の内側側面部から連設された上部正面部と、上部正面部の上辺から下部正面部と底面部間の折れ線である第１折れ線と平行な第２折れ線を介して連設された棚構成部で、上部正面部の上辺から第２折れ線を介して連設された後面部と、後面部の上部正面部とは反対側の辺部から第１折れ線と平行な第３折れ線を介して連設された棚部と、棚部の後面部とは反対側の辺部から第１折れ線と平行な第４折れ線を介して連設された差込み片部とを有する棚構成部とを有し、内側正面部が全体に平板状を呈し、内側背面部が、差込み片部を差し込むための差込み部と内箱部を吊り下げるための紐を挿通するための開口部とを有する内箱部と、
内箱部の外側の面に設けられた外装部で、内側正面部の外側の面に沿って設けられた略方形状の外側正面部と、外側正面部の右側面側の辺部から第５折れ線を介して連設され上下方向に帯状に形成された第１帯状部と、第１帯状部の外側正面部とは反対側の辺部から第５折れ線と平行な第６折れ線を介して連設され一方の内側側面部の外側の面に沿って設けられた第１外側側面部と、外側正面部の左側面側の辺部から第７折れ線を介して連設され上下方向に帯状に形成された第２帯状部と、第２帯状部の外側正面部とは反対側の辺部から第７折れ線と平行な第８折れ線を介して連設され他方の内側側面部の外側の面に沿って設けられた第２外側側面部と、第１外側側面部の第１帯状部とは反対側の辺部から第９折れ線を介して連設され上下方向に帯状に形成された第３帯状部と、第３帯状部の第１外側側面部とは反対側の辺部から第９折れ線と平行な第１０折れ線を介して連設され内側背面部の外側の面に沿って設けられた第１外側背面部と、第２外側側面部の第２帯状部とは反対側の辺部から第１１折れ線を介して連設され上下方向に帯状に形成された第４帯状部と、第４帯状部の第２外側側面部とは反対側の辺部から第１１折れ線と平行な第１２折れ線を介して連設され内側背面部の外側の面に沿って設けられ第１外側背面部とは間隔を介して設けられた第２外側背面部と、外側正面部の上辺から連設された上面部とを有し、第１外側背面部における一部の領域が分離部として分離部以外の領域と切目線を介して分離可能に形成されているとともに、第２外側背面部における一部の領域が分離部として分離部以外の領域と切目線を介して分離可能に形成され、第１外側背面部の分離部と第２外側背面部の分離部とが内側背面部と接着されている外装部と、
を有し、内側背面部の差込み部の少なくとも一部は、差込み片部を差込み部に差し込んだ際に、差込み片部が内側背面部の背面側に突出可能となるように第１外側背面部及び第２外側背面部から露出して形成され、
内箱部と外装部とが、それぞれ１枚のシート状のブランクにより形成されていて、
後面部を上部正面部に対して背面側に折り返し、棚部を後面部に対して折曲し、差込み片部を差込み部に差し込むことにより、棚部が略水平に配置され、
上面部を外側正面部に対して折り曲げることにより、外側正面部と第１外側側面部と第２外側側面部と内側背面部により囲まれた開口部をカバーし、
第１外側背面部と第２外側背面部の切目線を破断して、外装部の分離部を除く部分を内箱部に対して正面側に引き出すことにより外装部の分離部を除く部分が内箱部から分離されることを特徴とする包装箱。
【請求項５】
内箱部が、下部正面部と上部正面部間に下部正面部と切目線を介して連設されるとともに上部正面部と切目線を介して連設された表示部と、内側背面部の上辺から連設され内側背面部に設けられた開口部に対応する位置に開口部を有する上方突出部とを有するとともに、内側背面部と上方突出部間に切込みであって表示部を差し込むための差込み部を形成するための切込みを有し、上方突出部を内側背面部に対して折り返すことにより、内側背面部の開口部と上方突出部の開口部が対向して吊下げ用の紐の挿通穴が形成されることを特徴とする請求項４に記載の包装箱。
【請求項６】
表示部には、内箱部に収納された被収納物の広告が表示されていることを特徴とする請求項２又は５に記載の包装箱。
【請求項７】
底面部は、一対の内側側面部の一方における下辺から連設された第１片部と、内側正面部の下辺から連設された第２片部と、内側背面部の下辺から連設された第３片部と、一対の内側側面部の他方における下辺から連設された第４片部とにより形成され、内側スリーブ状部における隣接する各部を互いに直角にすることにより底面部が略方形状の外形を有することを特徴とする請求項１又は２又は３又は４又は５又は６に記載の包装箱。
【請求項８】
内側背面部に設けられた開口部が左右両側に設けられるとともに、上方突出部に設けられた開口部が左右両側に設けられ、上方突出部を内側背面部に対して折り返すことにより、吊下げ用の紐の挿通穴が左右両側に計一対設けられ、一対の挿通穴に吊下げ用の紐が挿通して設けられていることを特徴とする請求項２又は５に記載の包装箱。
【考案の詳細な説明】
【技術分野】
【０００１】
本考案は、包装箱に関するものであり、複数の商品を集合して包装するとともに、包装箱の一部を分離させて商品を店頭等に陳列する包装箱に関するものである。
【背景技術】
【０００２】
従来より、複数の商品を集合して包装するとともに、店頭等に陳列する包装箱としては、方形状トレー部の一辺の縁面部に上記トレー部を覆う外箱部を連続して形成し、上記トレー部の上記一辺の縁面部と上記外箱部との連続部に切取り部を設けたものが存在する（特許文献１）。
【０００３】
また、出願人は、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱において、内箱部において商品を複数段に陳列することができる包装箱として、特許文献２に記載の包装箱を出願している。
【先行技術文献】
【特許文献】
【０００４】
【特許文献１】特開２００３−１２８０５１号公報
【特許文献２】実用新案登録第３１４７０８３号公報
【考案の概要】
【考案が解決しようとする課題】
【０００５】
しかし、上記特許文献１の包装箱の場合には、商品を陳列する棚を上下二段にすることができず、また、商品を展示する際には、切取り部２０を引っ張って切り取ってトレー部２’と外箱部３’とを分離するとともに、トレー部２’側に貼着した封止テープＴを切断して、外箱部３’をトレー部２’から取り外すが、その際、外箱部３’を上方に引き上げる必要があり、包装箱を置いた場所において上方に空間がない場合には、外箱部を引き上げることができず、外箱部を取り外すことができないという問題があった。
【０００６】
また、特許文献２に記載の包装箱においても、上下二段に展示することはできるものの、商品の展示に際しては、内箱部に対して外箱部を上方に引き上げる必要があり、包装箱を置いた場所において上方に空間がない場合には、外箱部を引き上げることができず、外箱部を取り外すことができないという問題があった。
【０００７】
また、特許文献１、２の包装箱においては、被収納物を吊り下げて展示することができないという問題があった。
【０００８】
そこで、本考案は、内箱部と内箱部を覆う外装部とを有し、外装部を内箱部から分離することにより、内箱部に収納された被収納物を陳列して使用する包装箱において、被収納物を上下二段に展示することができるとともに、被収納物の展示に際して、外装部を上方に引き上げることなく内箱部から分離でき、さらには、包装箱を載置するだけでなく、吊り下げても展示することができる包装箱を提供することを目的とするものである。
【課題を解決するための手段】
【０００９】
本考案は上記問題点を解決するために創作されたものであって、第１には、包装箱であって、略方形状の外形を有する底面部と、底面部の各辺から立設し底面部に対して略直角をなすスリーブ状部で、内側正面部と、相対する一対の内側側面部と、内側背面部とからなるスリーブ状部とを有し、上部が開口した内箱部で、内側正面部が、底面部及び一対の内側側面部から連設された下部正面部と、下部正面部と上下方向に間隔を介して設けられ、一対の内側側面部から連設された上部正面部と、上部正面部の上辺から下部正面部と底面部間の折れ線である第１折れ線と平行な第２折れ線を介して連設された棚構成部で、上部正面部の上辺から第２折れ線を介して連設された後面部と、後面部の上部正面部とは反対側の辺部から第１折れ線と平行な第３折れ線を介して連設された棚部と、棚部の後面部とは反対側の辺部から第１折れ線と平行な第４折れ線を介して連設された差込み片部とを有する棚構成部とを有し、内側正面部が全体に平板状を呈し、内側背面部が、差込み片部を差し込むための差込み部と内箱部を吊り下げるための紐を挿通するための開口部とを有する内箱部と、内箱部の外側の面に設けられた外装部で、内側正面部の外側の面に沿って設けられた略方形状の外側正面部と、外側正面部の右側面側の辺部から連設され一方の内側側面部の外側の面に沿って設けられた第１外側側面部と、外側正面部の左側面側の辺部から連設され他方の内側側面部の外側の面に沿って設けられた第２外側側面部と、第１外側側面部の外側正面部とは反対側の辺部から連設され内側背面部の外側の面に沿って設けられた第１外側背面部と、第２外側側面部の外側正面部とは反対側の辺部から連設され内側背面部の外側の面に沿って設けられ第１外側背面部とは間隔を介して設けられた第２外側背面部と、外側正面部の上辺から連設された上面部とを有し、第１外側背面部における一部の領域が分離部として分離部以外の領域と切目線を介して分離可能に形成されているとともに、第２外側背面部における一部の領域が分離部として分離部以外の領域と切目線を介して分離可能に形成され、第１外側背面部の分離部と第２外側背面部の分離部とが内側背面部と接着されている外装部と、を有し、内側背面部の差込み部の少なくとも一部は、差込み片部を差込み部に差し込んだ際に、差込み片部が内側背面部の背面側に突出可能となるように第１外側背面部及び第２外側背面部から露出して形成され、内箱部と外装部とが、それぞれ１枚のシート状のブランクにより形成されていて、後面部を上部正面部に対して背面側に折り返し、棚部を後面部に対して折曲し、差込み片部を差込み部に差し込むことにより、棚部が略水平に配置され、上面部を外側正面部に対して折り曲げることにより、外側正面部と第１外側側面部と第２外側側面部と内側背面部により囲まれた開口部をカバーし、第１外側背面部と第２外側背面部の切目線を破断して、外装部の分離部を除く部分を内箱部に対して正面側に引き出すことにより外装部の分離部を除く部分が内箱部から分離されることを特徴とする。
【００１０】
第１の構成の包装箱においては、内箱部の上方から下段収納用の被収納物を収納し、その後、棚構成部を組み立てる。つまり、後面部を上部正面部に対して背面側に折り返し、棚部を後面部に対して折曲し、差込み片部を差込み部に差し込むことにより、棚部を略水平に配置される。その後、内箱部の上方から上段収納用の被収納物を収納し、上面部を外側正面部に対して折曲することにより、外側正面部と第１外側側面部と第２外側側面部と内側背面部により囲まれた上部開口をカバーし、第１外側側面部から上面部を経て第２外側側面部まで接着テープを貼って封止する。
【００１１】
被収納物を展示する場合には、第１外側背面部の第２外側背面部側の端部と第２外側背面部の第１外側背面部側の端部とを背面側に引っ張り第１外側背面部と第２外側背面部のループ状の切目線を破断して、外装部の分離部を除く部分を内箱部に対して正面側に引き出すことにより内箱部から分離する。
【００１２】
よって、被収納物を上下二段に展示することができるとともに、被収納物の展示に際して、外装部を上方に引き上げることなく内箱部から分離でき、さらには、内箱部Ａ１を載置するだけでなく、吊り下げても展示することができる。外装部を内箱部に対して引き上げることなく分離できるので、包装箱を置いた場所において上方に空間がない場合でも容易に外装部を分離することができる。
【００１３】
また、第２には、上記第１の構成において、内箱部が、下部正面部と上部正面部間に下部正面部と切目線を介して連設されるとともに上部正面部と切目線を介して連設された表示部と、内側背面部の上辺から連設され内側背面部に設けられた開口部に対応する位置に開口部を有する上方突出部とを有するとともに、内側背面部と上方突出部間に切込みであって表示部を差し込むための差込み部を形成するための切込みを有し、上方突出部を内側背面部に対して折り返すことにより、内側背面部の開口部と上方突出部の開口部が対向して吊下げ用の紐の挿通穴が形成されることを特徴とする。
【００１４】
よって、表示部を表示部を差し込むための差込み部に差し込むことにより、表示部に被収納物の広告を表示しておくことにより表示部をＰＯＰ広告として利用することができる。また、上方突出部が設けられているので、紐を取り付ける箇所の強度を高めることができる。
【００１５】
また、第３には、上記第１又は第２の構成において、第１外側側面部が、互いに平行な二本の折れ線を介して外側正面部から連設され、第２外側側面部が、互いに平行な二本の折れ線を介して外側正面部から連設され、第１外側背面部が、互いに平行な二本の折れ線を介して第１外側側面部から連設され、第２外側背面部が、互いに平行な二本の折れ線を介して第２外側側面部から連設されていることを特徴とする。
【００１６】
よって、互いに平行な二本の折れ線を介して連設して、二本の折れ線間に帯状部を形成することにより、帯状部の両側の部材間の折曲を容易とすることができる。
【００１７】
また、第４には、包装箱であって、略方形状の外形を有する底面部と、底面部の各辺から立設し底面部に対して略直角をなすスリーブ状部で、内側正面部と、相対する一対の内側側面部と、内側背面部とからなるスリーブ状部とを有し、上部が開口した内箱部で、内側正面部が、底面部及び一対の内側側面部から連設された下部正面部と、下部正面部と上下方向に間隔を介して設けられ、一対の内側側面部から連設された上部正面部と、上部正面部の上辺から下部正面部と底面部間の折れ線である第１折れ線と平行な第２折れ線を介して連設された棚構成部で、上部正面部の上辺から第２折れ線を介して連設された後面部と、後面部の上部正面部とは反対側の辺部から第１折れ線と平行な第３折れ線を介して連設された棚部と、棚部の後面部とは反対側の辺部から第１折れ線と平行な第４折れ線を介して連設された差込み片部とを有する棚構成部とを有し、内側正面部が全体に平板状を呈し、内側背面部が、差込み片部を差し込むための差込み部と内箱部を吊り下げるための紐を挿通するための開口部とを有する内箱部と、内箱部の外側の面に設けられた外装部で、内側正面部の外側の面に沿って設けられた略方形状の外側正面部と、外側正面部の右側面側の辺部から第５折れ線を介して連設され上下方向に帯状に形成された第１帯状部と、第１帯状部の外側正面部とは反対側の辺部から第５折れ線と平行な第６折れ線を介して連設され一方の内側側面部の外側の面に沿って設けられた第１外側側面部と、外側正面部の左側面側の辺部から第７折れ線を介して連設され上下方向に帯状に形成された第２帯状部と、第２帯状部の外側正面部とは反対側の辺部から第７折れ線と平行な第８折れ線を介して連設され他方の内側側面部の外側の面に沿って設けられた第２外側側面部と、第１外側側面部の第１帯状部とは反対側の辺部から第９折れ線を介して連設され上下方向に帯状に形成された第３帯状部と、第３帯状部の第１外側側面部とは反対側の辺部から第９折れ線と平行な第１０折れ線を介して連設され内側背面部の外側の面に沿って設けられた第１外側背面部と、第２外側側面部の第２帯状部とは反対側の辺部から第１１折れ線を介して連設され上下方向に帯状に形成された第４帯状部と、第４帯状部の第２外側側面部とは反対側の辺部から第１１折れ線と平行な第１２折れ線を介して連設され内側背面部の外側の面に沿って設けられ第１外側背面部とは間隔を介して設けられた第２外側背面部と、外側正面部の上辺から連設された上面部とを有し、第１外側背面部における一部の領域が分離部として分離部以外の領域と切目線を介して分離可能に形成されているとともに、第２外側背面部における一部の領域が分離部として分離部以外の領域と切目線を介して分離可能に形成され、第１外側背面部の分離部と第２外側背面部の分離部とが内側背面部と接着されている外装部と、を有し、内側背面部の差込み部の少なくとも一部は、差込み片部を差込み部に差し込んだ際に、差込み片部が内側背面部の背面側に突出可能となるように第１外側背面部及び第２外側背面部から露出して形成され、内箱部と外装部とが、それぞれ１枚のシート状のブランクにより形成されていて、後面部を上部正面部に対して背面側に折り返し、棚部を後面部に対して折曲し、差込み片部を差込み部に差し込むことにより、棚部が略水平に配置され、上面部を外側正面部に対して折り曲げることにより、外側正面部と第１外側側面部と第２外側側面部と内側背面部により囲まれた開口部をカバーし、第１外側背面部と第２外側背面部の切目線を破断して、外装部の分離部を除く部分を内箱部に対して正面側に引き出すことにより外装部の分離部を除く部分が内箱部から分離されることを特徴とする。
【００１８】
第４の構成の包装箱においては、内箱部の上方から下段収納用の被収納物を収納し、その後、棚構成部を組み立てる。つまり、後面部を上部正面部に対して背面側に折り返し、棚部を後面部に対して折曲し、差込み片部を差込み部に差し込むことにより、棚部を略水平に配置される。その後、内箱部の上方から上段収納用の被収納物を収納し、上面部を外側正面部に対して折曲することにより、外側正面部と第１外側側面部と第２外側側面部と内側背面部により囲まれた上部開口をカバーし、第１外側側面部から上面部を経て第２外側側面部まで接着テープを貼って封止する。
【００１９】
被収納物を展示する場合には、第１外側背面部の第２外側背面部側の端部と第２外側背面部の第１外側背面部側の端部とを背面側に引っ張り第１外側背面部と第２外側背面部のループ状の切目線を破断して、外装部の分離部を除く部分を内箱部に対して正面側に引き出すことにより内箱部から分離する。
【００２０】
よって、被収納物を上下二段に展示することができるとともに、被収納物の展示に際して、外装部を上方に引き上げることなく内箱部から分離でき、さらには、内箱部Ａ１を載置するだけでなく、吊り下げても展示することができる。外装部を内箱部に対して引き上げることなく分離できるので、包装箱を置いた場所において上方に空間がない場合でも容易に外装部を分離することができる。
【００２１】
また、第５には、上記第４の構成において、内箱部が、下部正面部と上部正面部間に下部正面部と切目線を介して連設されるとともに上部正面部と切目線を介して連設された表示部と、内側背面部の上辺から連設され内側背面部に設けられた開口部に対応する位置に開口部を有する上方突出部とを有するとともに、内側背面部と上方突出部間に切込みであって表示部を差し込むための差込み部を形成するための切込みを有し、上方突出部を内側背面部に対して折り返すことにより、内側背面部の開口部と上方突出部の開口部が対向して吊下げ用の紐の挿通穴が形成されることを特徴とする。
【００２２】
よって、表示部を表示部を差し込むための差込み部に差し込むことにより、表示部に被収納物の広告を表示しておくことにより表示部をＰＯＰ広告として利用することができる。また、上方突出部が設けられているので、紐を取り付ける箇所の強度を高めることができる。
【００２３】
また、第６には、上記第２又は第５の構成において、表示部には、内箱部に収納された被収納物の広告が表示されていることを特徴とする
また、第７には、上記第１から第６までのいずれかの構成において、底面部は、一対の内側側面部の一方における下辺から連設された第１片部と、内側正面部の下辺から連設された第２片部と、内側背面部の下辺から連設された第３片部と、一対の内側側面部の他方における下辺から連設された第４片部とにより形成され、内側スリーブ状部における隣接する各部を互いに直角にすることにより底面部が略方形状の外形を有することを特徴とする。
【００２４】
また、第８には、上記第２又は第５の構成において、内側背面部に設けられた開口部が左右両側に設けられるとともに、上方突出部に設けられた開口部が左右両側に設けられ、上方突出部を内側背面部に対して折り返すことにより、吊下げ用の紐の挿通穴が左右両側に計一対設けられ、一対の挿通穴に吊下げ用の紐が挿通して設けられていることを特徴とする。
【考案の効果】
【００２５】
本考案に基づく包装箱によれば、被収納物を上下二段に展示することができるとともに、被収納物の展示に際して、外装部を上方に引き上げることなく内箱部から分離でき、さらには、内箱部Ａ１を載置するだけでなく、吊り下げても展示することができる。外装部を内箱部に対して引き上げることなく分離できるので、包装箱を置いた場所において上方に空間がない場合でも容易に外装部を分離することができる。
【図面の簡単な説明】
【００２６】
【図１】本考案の実施例に基づく包装箱の前方斜視図である。
【図２】本考案の実施例に基づく包装箱の後方斜視図である。
【図３】図１の包装箱における内箱部の構成を示す前方斜視図である。
【図４】本考案の実施例に基づく包装箱の底面図である。
【図５】内箱部の展開図である。
【図６】外装部の展開図である。
【図７】包装箱を折り畳んだ状態を示す平面図である。
【図８】包装箱を折り畳んだ際の内箱部の折り畳み状態を示す平面図である。
【図９】包装箱に紐を取り付けた状態を示す後方斜視図である。
【図１０】包装箱の使用状態を示す前方斜視図である。
【図１１】包装箱の使用状態を示す後方斜視図である。
【図１２】包装箱の使用状態を示す前方斜視図である。
【図１３】包装箱の使用状態を示す後方斜視図である。
【図１４】包装箱の使用状態を示す前方斜視図であり、外装部を取り除いた状態を示す前方斜視図である。
【図１５】図１４において、被収納物を省略して表した図である。
【図１６】図１４の状態における後方斜視図である。
【図１７】包装箱の使用状態を示す前方斜視図である。
【考案を実施するための形態】
【００２７】
本考案においては、内箱部と外装部とを有し、展示状態においては、外装部を内箱部から分離することにより、内箱部に収納された商品を陳列して使用する包装箱において、被収納物を上下二段に展示することができるとともに、被収納物の展示に際して、外装部を上方に引き上げることなく内箱部から分離でき、さらには、包装箱を載置するだけでなく、吊り下げても展示することができる包装箱を提供するという目的を以下のようにして実現した。
【００２８】
本考案に基づく包装箱Ａは、図１〜図６に示すように構成され、内箱部Ａ１と、外装部Ａ２とを有していて、それぞれが１枚のシート状のブランク（具体的には段ボール（特に、両面段ボール）であり、厚紙等でもよい）により形成されている。なお、両面段ボールにおける中芯の段の方向は、図５、図６に示す円内に示す方向である。
【００２９】
内箱部Ａ１は、全体に上部が開口した容器状を呈し、図３、図５等に示すように、スリーブ状部５と、底面部５０と、上方突出部１００とを有している。スリーブ状部５は、組立て状態では、底面部５０の周囲から立設して形成され、正面部（内側正面部）１０と、側面部（内側側面部）２０と、側面部（内側側面部）３０と、背面部（内側背面部）４０と、糊代部４９とを有していて、その展開状態は、図５に示すように形成されている。
【００３０】
ここで、正面部１０は、全体に平板状に形成され、下部正面部１２ａと、下部正面部１２ａの上辺からミシン目状の切込みからなる切目線Ｋ１０を介して連設された表示部（表示板部としてもよい）１４と、表示部１４の上辺からミシン目状の切込みからなる切目線Ｋ１２を介して連設された上部正面部１２ｂと、上部正面部１２ｂの上辺から折れ線Ｃ２２を介して連設された棚構成部１６とを有している。
【００３１】
切目線Ｋ１０、Ｋ１２と、折れ線Ｃ２２、Ｃ２４、Ｃ２６は、正面部１０の下辺（すなわち、下部正面部１２ａと第２片部７０間の折れ線（第１折れ線）Ｃ２０ ）と平行に形成されている。
【００３２】
ここで、下部正面部１２ａは、横長の略長方形状を呈し、底面部５０の第２片部７０と折れ線Ｃ２０を介して連設され、側面部２０と折れ線Ｃ１０を介して連設され、側面部３０と折れ線Ｃ１２を介して連設されている。つまり、下部正面部１２ａは、底面部５０及び一対の側面部２０、３０から連設されている。この下部正面部１２ａは、長方形状の上端の両側部分が斜めに傾斜した形状となっている。
【００３３】
また、表示部１４は、略長方形状を呈し、横長長方形状の４つの角部を面取りした形状を呈し、その下辺から一対の溝部１４ａ、１４ｂが形成されている。溝部１４ａと溝部１４ｂ間の差込み片部１４−１は、商品の陳列状態において、背面部４０と上方突出部１００間の切込み１０２ｃにより形成された差込み部に差し込まれる。
【００３４】
なお、この表示部１４は、被収納物の広告内容を表示する領域として使用するので、表示部１４の外側の面には、内箱部Ａ１の製造に際して、予め商品の広告等の表示内容を印刷しておく。なお、内箱部Ａ１の展開状態において、表示部１４の外側の面は、内箱部Ａ１の外側の面と同じ面となるので、内箱部Ａ１の表示部１４以外の領域と同時に表示部１４に印刷を行なうことができる。なお、被収納物を陳列する際に、広告内容を表示部１４に貼るようにしてもよい。
【００３５】
また、上部正面部１２ｂは、横長の略長方形状を呈し、側面部２０と折れ線Ｃ１０を介して連設され、側面部３０と折れ線Ｃ１２を介して連設されている。この上部正面部１２ｂは、長方形状の上端の両側部分が斜めに傾斜した形状となっている。
【００３６】
また、棚構成部１６は、上部正面部１２ｂの上辺から折れ線（第２折れ線）Ｃ２２を介して連設された後面部１６ａと、後面部１６ａの上辺から折れ線（第３折れ線）Ｃ２４を介して連設された棚部１６ｂと、棚部１６ｂの上辺から折れ線（第４折れ線）Ｃ２６を介して連設された差込み片部１６ｃとを有している。折れ線Ｃ２４と折れ線Ｃ２６には、折曲を容易とするために間隔を介して複数の切込みが形成されている。
【００３７】
また、後面部１６ａは、台形形状を呈し、その上下方向の長さは、上部正面部１２ｂの上下方向の長さと略同一であり、また、左右方向の最大長さは、折れ線Ｃ１０と折れ線Ｃ１２間の長さと同一又は若干小さく形成されている。後面部１６ａは、棚構成部１６を組み立てた際には、上部正面部１２ｂの背面側に平行に設けられる。
【００３８】
また、棚部１６ｂは、横長の長方形状を呈し、その上下方向の長さは、棚部１６を組み立てた際に、上部正面部１２ｂと背面部４０間に設けられる長さに形成されている。つまり、側面部２０、３０の横方向の長さよりも若干小さく形成されている。また、棚部１６ｂの左右方向の長さは、後面部１６ａの最大長さと同一に形成されている。
【００３９】
また、差込み片部１６ｃは、先端にいくほど幅狭となる台形形状を呈し、左右方向には、棚部１６ｂの左右方向の長さよりも小さく形成され、開口部４２ａに差込み可能な長さに形成されている。
【００４０】
棚構成部１６は、後面部１６ａを上部正面部１２ｂに対して折り曲げて上部正面部１２ｂの背面側に配置し、さらに、棚部１６ｂを後面部１６ａに対して折り曲げて棚部１６ｂを水平方向に配置し、差込み片部１６ｃを背面部４０の差込み部４２に差し込むことにより組み立てられる。棚構成部１６を組み立てた状態では、棚部１６ｂは水平（つまり、底面部５０に対して平行）となる。
【００４１】
折れ線Ｃ２２と折れ線Ｃ２４と折れ線Ｃ２６とは、折れ線Ｃ２０と平行に形成され、切目線Ｋ１０と切目線Ｋ１２とは、折れ線Ｃ２０と平行に形成されている。
【００４２】
なお、包装箱Ａにおいては、正面部１０は全体に平板状に形成されている。すなわち、図１１のように棚構成部１６を組み立てる前の状態（図１〜図３、図８〜図１０の状態）においては、正面部１０は全体に平板状に形成されている。
【００４３】
また、側面部２０は、正面部１０（具体的には、下部正面部１２ａと上部正面部１２ｂ）から折れ線Ｃ１０を介して連設され、縦長の略帯状を呈している。すなわち、背面側の直線状の辺部２０ａと、辺部２０ａの上端から辺部２０ａに直角に形成された直線状の辺部２０ｂと、辺部２０ｂの正面側の端部から円弧状に形成された辺部２０ｃと、辺部２０ｃの下端から辺部２０ａと平行に平成された直線状の辺部２０ｄと、辺部２０ｄの下端から正面側に斜め下方に形成された直線状の辺部２０ｅと、辺部２０ｅの下端から辺部２０ａと平行に形成された直線状の辺部２０ｆと、辺部２０ｆの下端から背面側に斜め下方に形成された辺部２０ｇと、辺部２０ｇの下端から下方に辺部２０ａと平行に形成された直線状の辺部２０ｈと、辺部２０ｈの下端から正面側に斜め下方に直線状に形成された辺部２０ｉと、辺部２０ｉの下端から下方に辺部２０ａと平行に形成された辺部２０ｊとを有した形状となっている。なお、ここで、辺部２０ｆと辺部２０ｊとは、折れ線Ｃ１０と一致している。
【００４４】
また、側面部３０は、正面部１０（具体的には、下部正面部１２ａと上部正面部１２ｂ）から折れ線Ｃ１２を介して連設され、縦長の略帯状を呈している。すなわち、側面部３０は、側面部２０と対称に形成され、内箱部Ａ１の展開状態においては、側面部３０は側面部２０と線対称に形成されている。
【００４５】
また、背面部４０は、側面部３０の背面側の辺部から折れ線Ｃ１４を介して連設され、方形状を呈している。厳密には、背面部４０と上方突出部１００間に略コ字状の切込み１０２ｃが形成されているので、背面部４０は、方形状の上端に台形形状の突出部を連設した形状となっている。背面部４０の左右方向の長さは、正面部１０の左右方向の長さと同一（略同一としてもよい）となっている。
【００４６】
また、背面部４０の略中央には、差込み片部１６ｃを差し込むための差込み部４２が形成されている。この差込み部４２は、横長に帯状の開口部４２ａと、開口部４２ａの右側面側の端部から外側に斜め下方に形成された切込み４２ｂと、開口部４２ａの左側面側の端部から外側に斜め下方に形成された切込み４２ｃとを有している。すなわち、開口部４２ａは、背面部４０と第３片部８０間の折れ線Ｃ３６と平行に形成されていて、開口部４２ａの下辺は折れ線Ｃ３６と平行に直線状に形成されているのに対して、開口部４２ａの上辺は、左右両側が下辺と平行に形成され、中央部分が円弧状に湾曲した形状となっている。開口部４２ａの左辺と右辺は、外側に斜め下方に傾斜した短い直線状となっている。また、切込み４２ｂは、開口部４２ａの右側面側の端部から連設された略円弧状の曲線状部と、該曲線部から連設され、斜め下方に直線状に形成された直線状部と、直線部の下端から略半円状に形成された曲線状部とを有し、切込み４２ｃは、切込み４２ｂと左右対称に形成されている。開口部４２ａの長さは、差込み片部１６ｃの左右方向の長さ（最大長さ）よりも短く形成され、また、切込み４２ｂの下端と切込み４２ｃの下端間の長さｈ１は、差込み片部１６ｃの左右方向の長さ（最大長さ）よりも長く形成されている。また、開口部４２ａの形成位置は、左右方向には、背面部４０の中央に形成され、高さ方向には、差込み片部１６ｃを開口部４２ａに差し込んで差込み片部１６ｃを差込み部４２と係止させた際に棚部１６ｂが水平方向となる位置に形成されている。
【００４７】
また、背面部４０の上部には、左右位置に円形の開口部４４ａ、４４ｂが形成されている。この開口部４４ａ、４４ｂは、内箱部Ａ１を吊り下げる際の紐１７０を挿通するために使用される。
【００４８】
また、糊代部４９は、背面部４０の右側面側の辺部から折れ線Ｃ１６を介して連設され、縦長の帯状を呈している。この糊代部４９は、側面部２０の内側の面に接着剤により接着される。
【００４９】
なお、スリーブ状部５において、正面部１０と側面部２０、３０と背面部４０の上下方向の長さは略同一であるが、背面部４０の上下方向の長さ（折れ線Ｃ３６から切込み１０２ｃの上端までの長さ）が、正面部１０、側面部２０、３０の上下方向の長さよりも長く形成されている。
【００５０】
また、底面部５０は、第１片部６０と、第２片部７０と、第３片部８０と、第４片部９０とを有し、包装箱Ａの組立て状態においては、図４に示すように、略方形状の外形を呈している。
【００５１】
ここで、第１片部６０は、側面部３０の下端から折れ線Ｃ３４を介して連設され、先端側にいくほど幅狭となる略台形形状に形成され、その上面の一部が内箱部Ａ１の内底面の一部を形成している。この第１片部６０は、底面部５０の組立て状態においては、第４片部９０と点対称に形成されている。
【００５２】
また、第２片部７０は、正面部１０の下端から折れ線Ｃ２０を介して連設され、略長方形状に形成され、第２片部７０の上面の一部が内箱部Ａ１の内底面の一部を形成している。また、第２片部７０の角部（正面部１０と側面部２０の境界位置の角部）からは第２片部７０の正面部１０との境界をなす辺部に対して斜めに折れ線７０−１（この折れ線７０−１は、上面側が山折れ線となっている）が形成され、内箱部Ａ１を折り畳む際に、容易に折り畳むことができるようになっている。第２片部７０は、折れ線７０−１を介して本体部７２と先端部７４とに区画される。本体部７２の先端の先端部７４側には、他方の本体部８２と互いに係止するように切欠部７２ａが形成されている。先端部７４の上面は、第４片部９０の下面に接着されている。
【００５３】
また、第３片部８０は、背面部４０の下端から折れ線Ｃ３６を介して連設され、底面部５０の組立て状態においては、第２片部７０と点対称に形成されている。すなわち、第３片部８０は、背面部４０の下端から折れ線を介して連設され、略長方形状に形成され、第３片部８０の上面の一部が内箱部Ａ１の内底面の一部を形成している。また、第３片部８０の角部（背面部４０と側面部３０の境界位置の角部）からは第３片部８０の背面部４０との境界をなす辺部に対して斜めに折れ線８０−１（この折れ線８０−１は、上面側が山折れ線となっている）が形成され、内箱部Ａ１を折り畳む際に、容易に折り畳むことができるようになっている。第３片部８０は、折れ線８０−１を介して本体部８２と先端部８４とに区画される。本体部８２の先端の先端部８４側には、他方の本体部７２と互いに係止するように切欠部８２ａが形成されている。先端部８４の上面は、第１片部６０の下面に接着されている。
【００５４】
また、第４片部９０は、側面部２０の下端から折れ線Ｃ３２を介して連設され、先端側にいくほど幅狭となる略台形形状に形成され、その上面の一部が内箱部Ａ１の内底面の一部を形成している。
【００５５】
また、上方突出部１００は、背面部４０の上辺から平行な二重の折れ線Ｃ４０、Ｃ４２を介して連設され、先端側にいくほど幅狭となる台形形状を呈している。上方突出部１００における左右位置には円形の開口部１０２ａ、１０２ｂが形成されている。この開口部１０２ａ、１０２ｂは、内箱部Ａ１を吊り下げる際の紐１７０を挿通するために使用されるものであり、開口部１０２ａは、上方突出部１００を折れ線Ｃ４０、Ｃ４２を介して背面部４０側に折り返した際に、開口部４４ａと重なる位置に形成され、また、開口部１０２ｂは、上方突出部１００を折れ線Ｃ４０、Ｃ４２を介して背面部４０側に折り返した際に、開口部４４ｂと重なる位置に形成されている。折れ線Ｃ４０、Ｃ４２は、折れ線Ｃ３６と平行に形成されている。上方突出部１００を設けることにより、紐１７０を吊り下げる箇所の強度を高めることができる。
【００５６】
また、上方突出部１００と背面部４０の境界位置には略コ字状の切込み１０２ｃが形成されている。すなわち、切込み１０２ｃは、折れ線Ｃ４０の内側の端部から斜め上方に短く形成された一対の切込みと、該一対の切込みの上端の間に形成され、内箱部Ａ１の展開状態で、折れ線Ｃ４２よりも上方に突出して形成され、折れ線Ｃ３６と平行に形成された切込みとから構成されている。この切込み１０２ｃが形成されていることにより、上方突出部１００を背面部４０に対して折り返した状態とした場合に、切込み１０２ｃにより形成された突状部に沿って差込み片部１４−１を差し込むための開口部（つまり、表示部１４を差し込むための差込み部）が形成される。
【００５７】
なお、包装箱Ａにおいては、上方突出部１００と背面部４０とは全体に１つの平板状を呈している。つまり、図９のように紐１７０を通す前の状態においては、上方突出部１００は上方に立設した状態となっていて、上方突出部１００は背面部４０と同一平面を構成している。
【００５８】
なお、折れ線Ｃ１０、Ｃ１２は、折れ線Ｃ２０に対して直角となっており、折れ線Ｃ１４、Ｃ１６は、折れ線Ｃ３６に対して直角となっている。また、内箱部Ａ１の展開状態（図５に示す状態）においては、折れ線Ｃ３２と折れ線Ｃ２０と折れ線Ｃ３４と折れ線Ｃ３６とは直線状を呈している。
【００５９】
また、切目線Ｋ１０、Ｋ１２を構成する切込みや折れ線Ｃ２４、Ｃ２６に沿って形成された切込みは、内箱部Ａ１を構成するブランクの一方の面から他方の面にまで貫通して形成されている。
【００６０】
内箱部Ａ１を箱状に組み立てた状態（つまり、図１〜図３の状態）では、正面部１０と背面部４０とが互いに平行になり、側面部２０と側面部３０とが互いに平行になり、底面部５０を構成する各部材は、正面部１０、側面部２０、３０、背面部４０に対して略直角（直角でもよい）となる。つまり、スリーブ状部５は、底面部５０に対して略直角（直角でもよい）となる。また、スリーブ状部５を構成する各部材（正面部１０、側面部２０、３０、背面部４０）における隣接する部材は互いに直角となっている。また、内箱部Ａ１は、平板状に折り畳むことができ、正面部１０と側面部２０との角度を小さくし、背面部４０と側面部３０との角度を小さくさせることにより、底面部５０を構成する各部がスリーブ状部５内に回動して、図８に示すように、内箱部Ａ１が全体に平板状に折り畳むことができる。また、内箱部Ａ１を折り畳んだ状態では、底面部５０を構成する各部は、スリーブ状部５内にスリーブ状部５を構成する正面部１０、側面部２０、３０、背面部４０に対して略平行な状態となる。
【００６１】
次に、外装部Ａ２は、内箱部Ａ１を覆う部材であり、図１、図２、図６等に示すように、正面部（外側正面部）１１０と、側面部（第１外側側面部）１２０と、側面部（第２外側側面部）１３０と、背面部（第１外側背面部）１４０と、背面部（第２外側背面部）１５０と、上面部１６０と、フラップ部１６２、１６４とを有している。
【００６２】
ここで、正面部１１０は、方形状を呈し、その大きさは、背面部４０と略同一に形成され、左右方向には、正面部１０の左右方向の長さと略同一（厳密には、帯状部１１２が設けられているので若干小さく）形成され、上下方向には、背面部４０の上下方向の長さと略同一に形成され（厳密には、背面部４０の上下方向の長さよりも若干長く形成されている）、正面部１１０の下端位置は、内箱部Ａ１の下端位置と略一致し、フラップ部１６２を側面部１２０に対して内側に折り曲げるとともに、フラップ部１６４を側面部１３０に対して内側に折り曲げた後に上面部１６０を正面部１１０に対して内側に折り曲げる（フラップ部１６２、１６４側に折り曲げる）ことにより、上面部１６０の下面が背面部４０の上端に接するように形成されている。
【００６３】
また、側面部１２０は、正面部１１０の右側面側の辺部から平行な二重の折れ線（第５折れ線）Ｃ１１０及び折れ線（第６折れ線）Ｃ１１２を介して連設され、縦長の方形状（略方形状としてもよい）を呈し、その上下方向の長さは、正面部１１０の上下方向の長さと略同一であり、横方向の長さは、側面部２０の横方向の長さと略同一（厳密には、帯状部１１２が設けられているので若干小さく）形成されている。
【００６４】
正面部１１０と側面部１２０間には、互いに平行な二本の折れ線Ｃ１１０及び折れ線Ｃ１１２が形成され、これにより、正面部１１０と側面部１２０間には、帯状部１１２が形成されている。つまり、２つの帯状部１１２が上下に間隔を介して形成され、２つの帯状部１１２の間には縦長略長方形状の開口部Ｋ１１２が形成され、下側の帯状部１１２の下方には、縦長略長方形状の切欠部Ｋ１１０が形成されている。
【００６５】
また、側面部１３０は、正面部１１０の左側面側の辺部から平行な二重の折れ線（第７折れ線）Ｃ１１８及び折れ線（第８折れ線）Ｃ１２０を介して連設され、縦長の方形状（略方形状としてもよい）を呈し、その上下方向の長さは、正面部１１０の上下方向の長さと略同一であり、横方向の長さは、側面部３０の横方向の長さと略同一（厳密には、帯状部１１４が設けられているので若干小さく）形成されている。
【００６６】
正面部１１０と側面部１３０間には、互いに平行な二本の折れ線Ｃ１１８、Ｃ１２０が形成され、これにより、正面部１１０と側面部１３０間には、帯状部１１４が形成されている。つまり、３つの帯状部１１４が上下に間隔を介して形成され、上端の帯状部１１４と中段位置の帯状部１１４の間には縦長略長方形状の開口部Ｋ１２２が形成され、中段位置の帯状部１１４と下端位置の帯状部１１４の間には、縦長略長方形状の開口部Ｋ１２０が形成されている。
【００６７】
なお、外装部Ａ２の展開状態において、帯状部１１２の横方向の中央位置と帯状部１１４の横方向の中央位置間の長さｈ２は、正面部１０の横方向の長さと略同一に（厳密には、若干長く）形成されている。
【００６８】
また、背面部１４０は、側面部１２０の背面側の辺部（正面部１１０側とは反対側の辺部）から平行な二重の折れ線（第９折れ線）Ｃ１１４及び折れ線（第１０折れ線）Ｃ１１６を介して連設され、縦長の台形形状を呈し、基端側（側面部１２０側）から先端側にいくほど幅狭となる形状となっている。ここで、背面部１４０の横方向の長さｈ３は、背面部４０の左右方向の長さの１／２よりも小さく形成され、図２に示すように、差込み部４２における開口部４２ａが露出する長さ（厳密には、差込み部４２における切込み４２ｂ、４２ｃの外側の端部以外が露出する長さ）に形成されている。つまり、図１１に示すように、差込み片部１６ｃを差込み部４２に挿通して露出することができるように背面部１４０の横方向の長さが短く形成されている。
【００６９】
また、側面部１２０と背面部１４０間には、互いに平行な二本の折れ線Ｃ１１４、Ｃ１１６が形成され、これにより、側面部１２０と背面部１４０間には、帯状部１２２が形成されている。
【００７０】
また、背面部１４０には、複数のループ状の切目線が形成されている。すなわち、背面部１４０の上側には、ループ状（略縦長長方形状としてもよい）の切目線Ｋ１４２が形成され、背面部１４０の下側には、ループ状（略縦長長方形状としてもよい）の切目線Ｋ１４４が形成されている。すなわち、切目線Ｋ１４２、Ｋ１４４ともに、縦方向の互いに平行な直線状の切込みと、該一対の切込みの上端間に設けられた略円弧上のミシン目状の切込みと、該一対の切込みの下端間に設けられた略円弧上のミシン目状の切込みとにより形成されている。背面部１４０において、切目線Ｋ１４２で囲まれた領域が分離部１４２となり、切目線Ｋ１４４で囲まれた領域が分離部１４４となり、背面部１４０における分離部１４２、１４４以外の領域が本体部１４６となる。この分離部１４２、１４４の領域が内箱部Ａ１の背面部４０の背面側の面と接着される。図６では、分離部１４２、１４４内の網掛けの領域が背面部４０と接着される。つまり、背面部１４０における一部の領域が分離部１４２、１４４として分離部以外の領域と切目線Ｋ１４２、Ｋ１４４を介して分離可能に形成され、分離部１４２、１４４が背面部４０と接着されている。
【００７１】
また、背面部１５０は、側面部１３０の背面側の辺部（正面部１１０側とは反対側の辺部）から平行な二重の折れ線（第１１折れ線）Ｃ１２２及び折れ線（第１２折れ線）Ｃ１２４を介して連設され、背面部１４０と対称に形成されている。つまり、外装部Ａ２の展開状態においては、背面部１５０は、背面部１４０と左右対称に形成されている。つまり、背面部１５０の横方向の長さｈ４は、背面部４０の左右方向の長さの１／２よりも小さく形成され、図２に示すように、差込み部４２における開口部４２ａが露出する長さ（厳密には、差込み部４２における切込み４２ｂ、４２ｃの外側の端部以外が露出する長さ）に形成されている。つまり、図２に示すように、背面部１４０の内側の辺部と背面部１５０の内側の辺部間には間隔が形成され、背面部１４０と背面部１５０は間隔を介して設けられている。
【００７２】
また、側面部１３０と背面部１５０間には、互いに平行な二本の折れ線Ｃ１２２、Ｃ１２４が形成され、これにより、側面部１３０と背面部１５０間には、帯状部１２４が形成されている。
【００７３】
また、背面部１５０には、複数のループ状の切目線が形成されている。すなわち、背面部１５０の上側には、ループ状（略縦長長方形状としてもよい）の切目線Ｋ１５２が形成され、背面部１５０の下側には、ループ状（略縦長長方形状としてもよい）の切目線Ｋ１５４が形成されている。すなわち、切目線Ｋ１５２、Ｋ１５４ともに、縦方向の互いに平行な直線状の切込みと、該一対の切込みの上端間に設けられた略円弧上のミシン目状の切込みと、該一対の切込みの下端間に設けられた略円弧上のミシン目状の切込みとにより形成されている。背面部１５０において、切目線Ｋ１５２で囲まれた領域が分離部１５２となり、切目線Ｋ１５４で囲まれた領域が分離部１５４となり、背面部１５０における分離部１５２、１５４以外の領域が本体部１５６となる。この分離部１５２、１５４の領域が内箱部Ａ１の背面部４０の背面側の面と接着される。図６では、分離部１５２、１５４内の網掛けの領域が背面部４０と接着される。つまり、背面部１５０における一部の領域が分離部１５２、１５４として分離部以外の領域と切目線Ｋ１５２、Ｋ１５４を介して分離可能に形成され、分離部１５２、１５４が背面部４０と接着されている。
【００７４】
なお、折れ線Ｃ１１０、Ｃ１１２、Ｃ１１４、Ｃ１１６、Ｃ１１８、Ｃ１２０、Ｃ１２２、Ｃ１２４には、折れ線に沿って折曲を容易とするために折れ線に沿って間隔を介して複数の切込みが形成されている。この切込みは、外装部Ａ２を構成するブランクの一方の面から他方の面にまで貫通して形成されている。また、切目線Ｋ１４２、Ｋ１４４、Ｋ１５２、Ｋ１５４を形成する切込みも、外装部Ａ２を構成するブランクの一方の面から他方の面にまで貫通して形成されている。
【００７５】
また、上面部１６０は、正面部１１０の上辺から折れ線を介して連設され、略長方形状を呈している。この上面部１６０の左右方向の長さは、正面部１１０の左右方向の長さよりも若干長く形成され、長さｈ２と略同一に形成されている。また、上面部１６０の上下方向の長さは、側面部１２０、１３０の横方向の長さよりも若干大きく形成されており、これにより、上面部１６０を正面部１１０に対して直角に折曲した場合に、包装箱Ａにおける正面部１１０と、側面部１２０、１３０と、背面部４０とで囲まれる開口部ＪＫをカバーできる大きさ・形状に形成されている。
【００７６】
また、フラップ部１６２は、側面部１２０の上辺から折れ線を介して連設され、方形状の先端側の２つの角部を面取りした形状に形成されている。また、フラップ部１６４は、側面部１３０の上辺から折れ線を介して連設され、方形状の先端側の２つの角部を面取りした形状に形成されている。
【００７７】
なお、包装箱Ａにおいては、上面部１６０とフラップ部１６２、１６４は上方に立設した状態となっている。つまり、上面部１６０と正面部１１０とは１つの平板状を呈し、側面部１２０とフラップ部１６２とは１つの平板状を呈し、側面部１３０とフラップ部１６４とは１つの平板状を呈している。
【００７８】
なお、外装部Ａ２の正面部１１０の横方向の長さと側面部１２０、１３０の横方向の長さと背面部１４０、１５０の横方向の長さと帯状部１１２、１２２、１１４、１２４の横方向の長さは、正面部１１０を正面部１０における正面側の面に配置し（特に、正面部１１０を正面部１０の左右方向の均等な位置で、正面部１１０の下端位置を正面部１０の下端位置と合わせた位置に配置する）、側面部１２０、１３０を正面部１１０に対して直角に折曲すると、側面部１２０が側面部２０と平行となり、側面部１２０の内側の面が側面部２０の外側の面に接し、側面部１３０が側面部３０と平行となり、側面部１３０の内側の面が側面部３０の外側の面に接し、また、背面部１４０を側面部１２０に対して折曲すると、背面部１４０が背面部４０と平行となり、背面部１４０の内側の面が背面部４０の外側の面に接し、また、背面部１５０を側面部１３０に対して折曲すると、背面部１５０が背面部４０と平行となり、背面部１５０の内側の面が背面部４０の外側の面に接するような長さに設定されているといえる。
【００７９】
外装部Ａ２において、帯状部１１２、１２２、１１４、１２４が設けられていることにより、帯状部の両側の部材間の折曲を容易とすることができる。なお、外装部Ａ２において、帯状部１１２、１２２、１１４、１２４の構成を省略して、正面部１１０から１つの折れ線を介して側面部１２０が連設され、側面部１２０から１つの折れ線を介して背面部１４０が連設され、正面部１１０から１つの折れ線を介して側面部１３０が連設され、側面部１３０から１つの折れ線を介して背面部１５０が連設された構成としてもよい。
【００８０】
次に、内箱部Ａ１と外装部Ａ２とは、分離部１４２、１４４、１５２、１５４の箇所で互いに接着されている。つまり、分離部１４２、１４４の内側の面と背面部４０の外側の面とが接着剤その他の接着手段により接着されるとともに、分離部１５２、１５４の内側の面と背面部４０の外側の面とが接着剤その他の接着手段により接着されることにより、包装箱Ａが全体に一体に形成される。つまり、分離部１４２、１４４の内側の面の一部の領域（図６のハッチングに示す領域（裏側の領域））（全部の領域でもよい）と背面部４０の外側の面の間には接着剤層（図示せず）が設けられていて、同様に、分離部１５２、１５４の内側の面の一部の領域（図６のハッチングに示す領域（裏側の領域））（全部の領域でもよい）と背面部４０の外側の面の間には接着剤層（図示せず）が設けられている。図５の背面部４０におけるハッチングに示す箇所が接着剤層が設けられる箇所となる。つまり、図５の背面部４０において、左側の２つのハッチングの箇所（内箱部Ａ１の組立て状態では、背面部４０における右側となる）に分離部１４２、１４４が接着され、、右側の２つのハッチングの箇所（内箱部Ａ１の組立て状態では、背面部４０における左側となる）に分離部１５２、１５４が接着される。
【００８１】
接着剤の接着力は、背面部１４０の内側の端部を背面側に引っ張って背面部１４０を背面部４０から剥がすようにすることにより、切目線Ｋ１４２、Ｋ１４４が破断して、分離部１４２、１４４が背面部１４０から分離して背面部４０に接着したままとなるように設定されていて、同様に、背面部１５０の内側の端部を背面側に引っ張って背面部１５０を背面部４０から剥がすようにすることにより、切目線Ｋ１５２、Ｋ１５４が破断して、分離部１５２、１５４が背面部１５０から分離して背面部４０に接着したままとなるように設定されている。
【００８２】
なお、内箱部Ａ１と外装部Ａ２とは、分離部１４２、１４４、１５２、１５４の箇所以外は互いに接着されていない。以上のように、内箱部Ａ１は外装部Ａ２の内側に収納した状態となっていて、内箱部Ａ１の背面部４０の一部と底面部５０以外は外装部Ａ２に被覆された状態となっている。
【００８３】
なお、上記構成の包装箱Ａは、内箱部Ａ１が上記のように折り畳むことができ、また、外装部Ａ２において、正面部１１０が正面部１０に沿って正面部１０に接して設けられ、側面部１２０が側面部２０に沿って側面部２０に接して設けられ、側面部１３０が側面部３０に沿って側面部３０に接して設けられ、背面部１４０、１５０が背面部４０に沿って背面部４０に接して設けられているので、包装箱Ａの状態においても平板状に折り畳むことができ、正面部１１０を側面部１２０に対して略平行になるようにし、かつ、側面部１３０を背面部１４０に対して略平行になるようにすることにより、図７に示すように平板状に折り畳むことができる。
【００８４】
上記構成の包装箱Ａの使用状態について説明する。包装箱Ａを使用しない状況では、上記のように包装箱Ａは平板状に折り畳むことができるので、折り畳んで保管しておく。
【００８５】
そして、包装箱Ａを使用する際に、包装箱Ａを組み立てる。すなわち、内箱部Ａ１のスリーブ状部５における隣接する部材が直角となるようにするとともに、側面部１２０と側面部１３０とが正面部１１０と直角となるようにし、底面部５０がスリーブ状部５に直角になるようにすることにより包装箱Ａが立体状に組み立てられる。
【００８６】
また、内箱部Ａ１には内箱部Ａ１を吊下げ可能とするために、紐１７０を取り付けておく。すなわち、上方突出部１００を背面部４０に対して内側に折り返した状態として、開口部４４ａ、１０２ａに紐１７０の一方の端部を挿通するとともに、開口部４４ｂ、１０２ｂに紐１７０の他方の端部を挿通して、内箱部Ａ１の内側において、紐１７０の端部に結び目１７２（図１５参照）を形成する。このように紐１７０を取り付けることにより、紐１７０は、図９に示すように、略Ｕ字状に垂れ下がった状態となる。
【００８７】
そして、図１０に示すように、包装箱Ａの上方から複数の被収納物（商品）Ｇを内箱部Ａ１に収納する。この段階では、下段収納用の被収納物を収納する。つまり、被収納物Ｇを内箱部Ａ１の内底部に配置して、被収納物Ｇが底面部５０上に配置する。これにより、被収納物Ｇは内箱部Ａ１の下側の空間に収納される。なお、上面部１６０やフラップ部１６２、１６４は予め上方に立設した状態になっており、包装箱Ａの上方が開口した状態となっているので、被収納物Ｇはそのまま包装箱Ａの上方から収納すればよい。また、正面部１０は、１つの平板状となっているので、内箱部Ａ１の下側に収納する際に正面部１０が支障になることはない。
【００８８】
次に、棚構成部１６を組み立てて、上段収納用の被収納物Ｇを収納できるようにする。すなわち、後面部１６ａを上部正面部１２ｂに対して折り曲げて上部正面部１２ｂの背面側に配置し、さらに、棚部１６ｂを後面部１６ａに対して折り曲げて棚部１６ｂを水平方向に配置し、差込み片部１６ｃを背面部４０の差込み部４２に差し込むことにより棚構成部１６を組み立てる。棚構成部１６を組み立てた状態では、図１１に示すように、差込み片部１６ｃは、差込み部４２から外部に突出して、背面部４０と略平行な状態となり、棚部１６ｂは略水平に配置される。
【００８９】
次に、図１２に示すように、包装箱Ａの上方から再度複数の被収納物（商品）Ｇを内箱部Ａ１に収納する。この段階では、上段収納用の被収納物Ｇを収納する。つまり、被収納物Ｇを内箱部Ａ１の棚部１６ｂ上に配置する。これにより、被収納物Ｇは内箱部Ａ１の上側の空間に収納される。
【００９０】
上段収納用の被収納物Ｇを収納したら、フラップ部１６２、１６４を内側に折り曲げた後に、上面部１６０を内側に折り曲げ、その状態で、接着テープＴにより包装箱Ａの上部を封止する。つまり、図１３に示すように、側面部１３０から上面部１６０を経て側面部１２０にまで接着テープＴを貼り付けて、封止する。
【００９１】
以上のようにして、被収納物Ｇを包装箱Ａに包装したら、被収納物Ｇを収納した包装箱Ａを被収納物Ｇを陳列する場所に搬送する。
【００９２】
その後、被収納物を陳列する場合には、外装部Ａ２を内箱部Ａ１から分離する。すなわち、背面部１４０の内側の端部を背面側に引っ張って背面部１４０を背面部４０から剥がすように外側に回動させることにより、切目線Ｋ１４２、Ｋ１４４を破断するとともに、背面部１５０の内側の端部を背面側に引っ張って背面部１５０を背面部４０から剥がすように外側に回動させることにより、切目線Ｋ１５２、Ｋ１５４を破断し、その後、外装部Ａ２（厳密には、外装部Ａ２の分離部を除く部分）を正面側に引き出すことにより、外装部Ａ２（厳密には、外装部Ａ２の分離部を除く部分）を内箱部Ａ１から分離する。その際、包装箱Ａを両手で抱きかかえるようにして、両手で背面部１４０と内側の端部と背面部１５０の内側の端部を持ち、両手で同時に背面部１４０、１５０を背面部４０から剥がす動作をすることにより、容易に外装部Ａ２を内箱部Ａ１から分離することができる。
【００９３】
なお、外装部Ａ２を内箱部Ａ１から分離する際には、外装部Ａ２（厳密には、外装部Ａ２の分離部を除く部分）を正面側に引き出すようにすればよく、外装部Ａ２を内箱部Ａ１に対して上方に引き上げる必要がない。
【００９４】
外装部Ａ２を内箱部Ａ１から分離したら、表示部１４が正面部１０に設けられているので、切目線Ｋ１０、Ｋ１２を破断して、表示部１４を正面部１０から分離する。すると、内箱部Ａ１は、図１４、図１６に示す状態となり、内箱部Ａ１の上段と下段に被収納物が収納された状態となっていて、分離部１４２、１４４、１５２、１５４は背面部４０に接着して残ったままとなっている。
【００９５】
なお、図１４に示す内箱部Ａ１において、被収納物Ｇを取り去った状態は図１５に示す状態となっていて、棚部１６ｂは、上段収納用の被収納物を収納できるように水平に設けられている。
【００９６】
次に、図１７に示すように、表示部１４を背面部４０と上方突出部１００間の切込み１０２ｃにより形成された差込み部に差し込むことにより、表示部１４をＰＯＰ広告として使用する。
【００９７】
また、内箱部Ａ１は、図１７に示すように設置面に載置して展示することができるとともに、紐部１７０をフック等の被掛止部に掛止させて吊り下げて展示することも可能である。
【００９８】
以上のように、本実施例の包装箱Ａによれば、内箱部Ａ１と内箱部Ａ１を覆う外装部Ａ２とを有し、展示状態においては、外装部Ａ２を内箱部Ａ１から分離することにより、内箱部Ａ１に収納された被収納物を陳列して使用する包装箱において、被収納物Ｇを上下二段に展示することができるとともに、被収納物の展示に際して、外装部Ａ２を上方に引き上げることなく内箱部Ａ１から分離でき、さらには、内箱部Ａ１を載置するだけでなく、吊り下げても展示することができる。外装部Ａ２を内箱部Ａ１に対して引き上げることなく分離できるので、包装箱Ａを置いた場所において上方に空間がない場合でも容易に外装部Ａ２を分離することができる。
【００９９】
また、本実施例の包装箱Ａによれば、上方が開口した包装箱Ａに対して上方から被収納物である商品を収納して、フラップ部１６２、１６４と上面部１６０を閉じて１つの接着テープＴにより封止するのみであるので、容易に被収納物（商品）の梱包作業を行うことができる。
【０１００】
また、本実施例の包装箱Ａによれば、背面部１４０、１５０を外側に回動させることにより外装部Ａ２の分離部１４２、１４４、１５２、１５４以外の部分を分離するのみで陳列することができるので、陳列作業を容易に行なうことができる。
【０１０１】
また、特に、内箱部Ａ１には、表示部１４が設けられ、表示部１４に広告等を表示することによりＰＯＰ広告として使用することができる。
【０１０２】
また、上記の説明において、外装部Ａ２において、切欠部Ｋ１１０と開口部Ｋ１２０を逆の構成としてもよい。すなわち、切欠部Ｋ１１０の代わりに開口部Ｋ１２０を設け、開口部Ｋ１２０の代わりに切欠部Ｋ１１０を設けてもよい。
【０１０３】
また、上記内箱部Ａ１において、上方突出部１００の構成を省略して、開口部４４ａ、４４ｂに吊下げ用の紐を挿通してもよい。
【符号の説明】
【０１０４】
Ａ  包装箱
Ａ１  内箱部
Ａ２  外装部
１０、１１０  正面部
２０、３０、１２０、１３０  側面部
１２ａ  下部正面部
１２ｂ  上部正面部
１４  表示部
１６  棚構成部
１６ａ  後面部
１６ｂ  棚部
１６ｃ  差込み片部
４０、１４０、１５０  背面部
４２  差込み部
４２ａ、４４ａ、４４ｂ、１０２ａ、１０２ｂ  開口部
４２ｂ、４２ｃ、１０２ｃ  切込み
４９  糊代部
５０  底面部
６０  第１片部
７０  第２片部
８０  第３片部
９０  第４片部
１００  上方突出部
１１０  正面部
１１２、１２２、１１４、１２４  帯状部
１４２、１４４、１５２、１５４  分離部
１６０  上面部
１６２、１６４  フラップ部
Ｋ１０、Ｋ１２、Ｋ１４２、Ｋ１４４、Ｋ１５２、Ｋ１５４  切目線
Ｃ１０、Ｃ１２、Ｃ１４、Ｃ１６、Ｃ２０、Ｃ２２、Ｃ２４、Ｃ２６、Ｃ３２、Ｃ３４、Ｃ３６、Ｃ４０、Ｃ４２、Ｃ１１０、Ｃ１１２、Ｃ１１４、Ｃ１１６、Ｃ１１８、Ｃ１２０、Ｃ１２２、Ｃ１２４  折れ線
【図１】
0003179757.tif 000003
【図２】
0003179757.tif 000004
【図３】
0003179757.tif 000005
【図４】
0003179757.tif 000006
【図５】
0003179757.tif 000007
【図６】
0003179757.tif 000008
【図７】
0003179757.tif 000009
【図８】
0003179757.tif 000010
【図９】
0003179757.tif 000011
【図１０】
0003179757.tif 000012
【図１１】
0003179757.tif 000013
【図１２】
0003179757.tif 000014
【図１３】
0003179757.tif 000015
【図１４】
0003179757.tif 000016
【図１５】
0003179757.tif 000017
【図１６】
0003179757.tif 000018
【図１７】
0003179757.tif 000019